(57)【要約】  ケーシング本体（１）と、油導入孔（７）と、油通路（２）と、 油導出孔（３）と、固定子固定台（８）と、ケーシングのエンドカバー（１０）と、固定子コア（５）と、巻線コイル（６）と、絶縁槽（１２）と、導引段差（４）とを含む電動モータ。油通路（２）がケーシング本体（１）の内部に位置するとともに、ケーシング本体（１）における油導入孔（７）及び固定子固定台（８）における油導出孔（３）と連通する。油導入孔（７）が巻線コイル（６）の上方に配設され、導引段差（４）が油導出孔（３）と巻線コイル（６）との間に配設される。油導入孔（７）から入ってきた油が、油通路（２）を流通して、油導出孔（３）から流出した後、導引段差（４）に導引され、巻線コイル（６）にかかる。電動モータの巻線コイルを効率よく冷却できるとともに、電動モータが高い耐熱性を持つようになる。また、電動モータの油冷却方法を提供する。【選択図】図４
2013513354.tif 000002
【特許請求の範囲】
【請求項１】
ケーシングと、固定子組立体とを含み、
前記ケーシングは、ケーシング本体（１）と、油導入孔（７）と、油通路（２）と、 油導出孔（３）と、固定子固定台（８）と、ケーシングのエンドカバー（１０）とを有し、その内、前記油導入孔（７）がケーシング本体（１）に位置し、前記油導出孔（３）が固定子固定台（８）に位置し、前記油通路（２）がケーシング本体（１）の内部に位置するとともに、前記油導入孔（７）及び油導出孔（３）と連通するように設けられ、
前記固定子組立体は、固定子コア（５）と、巻線コイル（６）と、絶縁槽（１２）とを有し、前記油導出孔（３）が巻線コイル（６）の上方に位置するように設けられる電動モータであって、
さらに、該電動モータは、油導出孔（３）と巻線コイル（６）との間に位置する導引段差を含み、
油導入孔（７）から入った冷却油が、油通路（２）を流通し、油導出孔（３）から流出してから、導引段差によって導引されて、巻線コイル（６）にかかるように設けられることを特徴とする電動モータ。
【請求項２】
前記導引段差が前記固定子固定台（８）に固定されるか、
または前記導引段差と前記固定子固定台（８）とが一体になるように鋳造されることを特徴とする請求項１に記載の電動モータ。
【請求項３】
前記固定子固定台（８）が前記ケーシング本体（１）に固定されるか、または前記固定子固定台（８）と前記ケーシング本体（１）とが一体になるように鋳造されるか、
または前記固定子固定台（８）がケーシング本体のエンドカバー（１０）に固定されるか、または前記固定子固定台（８）と前記ケーシング本体のエンドカバー（１０）とが一体になるように鋳造されることを特徴とする請求項１又は請求項２に記載の電動モータ。
【請求項４】
前記導引段差の形状は、円筒形、またはV字形、または半円形、または半楕円形、または三面矩形であることを特徴とする請求項１又は請求項２に記載の電動モータ。
【請求項５】
複数の油導出孔（３）が前記固定子固定台（８）の円周壁に分布しており、前記固定子固定台（８）の最上部から順次に下方に向かって、それぞれの油導出孔（３）の孔径が順次に増大することを特徴とする請求項１又は請求項２に記載の電動モータ。
【請求項６】
ケーシングと、固定子組立体とを含み、
前記ケーシングは、ケーシング本体（１）と、油導入孔（７）と、油通路（２）と、 油導出孔（３）と、固定子固定台（８）と、ケーシングのエンドカバー（１０）とを有し、前記油導入孔（７）がケーシング本体（１）に位置し、前記油導出孔（３）が固定子固定台（８）に位置し、前記油通路（２）がケーシング本体（１）の内部に位置するとともに、前記油導入孔（７）及び油導出孔（３）と連通するように設けられ、
前記固定子組立体は、固定子コア（５）と、巻線コイル（６）と、絶縁槽（１２）とを有し、前記油導出孔（３）が巻線コイル（６）の上方に位置するように設けられる電動モータに適用する電動モータの油冷却方法であって、
前記油導出孔（３）と前記巻線コイル（６）との間に導引段差を設け、冷却油が前記油導入孔（７）から入り、前記油通路（２）を流通して前記油導出孔（３）から流出するとき、前記導引段差が油導出孔（３）から流出した冷却油を導引して、巻線コイル（６）にかけることを特徴とする電動モータの油冷却方法。
【請求項７】
前記導引段差が前記固定子固定台（８）に固定されるか、
または、前記導引段差と前記固定子固定台（８）とが一体になるように鋳造されることを特徴とする請求項６に記載の方法。
【請求項８】
前記固定子固定台（８）がケーシング本体（１）の上に固定されるか、または前記固定子固定台（８）と前記ケーシング本体（１）とが一体になるように鋳造されるか、
または前記固定子固定台（８）が前記ケーシング本体のエンドカバー（１０）に固定されるか、または前記固定子固定台（８）と前記ケーシング本体のエンドカバー（１０）とが一体になるように鋳造されることを特徴とする請求項６又は請求項７に記載の方法。
【請求項９】
前記導引段差の形状は、円筒形、またはV字形、または半円形、または半楕円形、または三面矩形であることを特徴とする請求項６又は請求項７に記載の方法。
【請求項１０】
複数の油導出孔（３）が前記固定子固定台（８）の円周壁に分布しており、前記固定子固定台（８）の最上部から順次に下方に向かって、それぞれの油導出孔（３）の孔径が順次に増大することを特徴とする請求項６又は請求項７に記載の方法。
【発明の詳細な説明】
【技術分野】
【０００１】
本発明は機械製造の技術に関し、特に電動モータ及び電動モータの油冷却方法に関する。
【背景技術】
【０００２】
従来の技術において、冷却油を用いて電動モータにおける巻線コイルを冷却する。電動モータの巻線コイルに対する冷却方法における殆どの油通路デザインでは、油導入孔から油導出孔までの油通路には、通常、複数の９０度の曲がり角が設けられ、ひいては冷却油に圧力損失を生じるため、冷却油が油導出孔から巻線コイルへ噴出せず、重力によって自然に流出する。
【０００３】
図１は従来の技術における電動モータのケーシング及び固定子組立体を示す説明図である。図１に示すように、電動モータのケーシング１１の内部弧線に沿って複数の巻線コイル６が配列されている。図１にはケーシングのエンドカバーが示されていない。
【０００４】
図２は図１の線ＡＡ’に沿った断面図である。図２に示すように、電動モータのケーシング１１は、ケーシング本体１と、油導入孔７と、油通路２（油の導引通路）と、油導出孔３と、固定子固定台８と、ケーシングのエンドカバー１０とを含む。図２に示す電動モータは、さらに、ケーシングに接続され、固定子コア５、巻線コイル６及び絶縁槽からなる固定子組立体を含む。図２に示す断面図において、絶縁槽が見られないので、図２に示されていない。また、図２において、矢印で冷却油が油導入孔７から油通路２を介して油導出孔３までに至る経路は模式的に示されている。
【０００５】
図３は図２の示した線ＢＢ’に沿った断面図である。図３において、ケーシング本体１、油通路２、油導出孔３、巻線コイル６、固定子固定台８及び絶縁槽１２を示すとともに、矢印で冷却油が油導入孔７から油通路２を介して油導出孔までに至る経路を模式的に示している。それとともに、表面張力によって冷却油がケーシングの円周壁に流失する経路も模式的に示されている。これは、円周のある角度に位置する油導出孔に対して、油が孔から流出するときに、油の表面張力により、ケーシングの円周壁及びエンドカバーに沿って流失してしまい、直接、巻線コイルにかからないためである。
【発明の概要】
【発明が解決しようとする課題】
【０００６】
現在、種々のデザインにおいて、巻線コイルの下に溝が設けられている。これらの溝に油が溜められるようになり、その目的は巻線コイルを油に浸漬して冷却するためである。しかし、これらの溝の実装又は製造は容易ではなく、特に溝が実装される際、コイルの絶縁性を破壊してしまうことを防ぐためにコイルに接触してはならない。また、コイルの下の辺は通常は電動モータのエアギャップに近いが、溝はエアギャップの空間にも影響を与えてはいけない。さらに、冷却油は最上方の巻線コイルを冷却した後、巻線コイルからの熱を吸収して温度が上昇した油は円周の溝に沿って次の巻線コイルのところに流れて冷却を行う。このように類推していくと、各巻線コイルの冷却程度にばらつきが生じてしまう。
【０００７】
以上まとめると、従来の巻線コイルの冷却技術方法においては冷却効率が良くないので、ひいては電動モータの耐熱性が良くないことになる。
【０００８】
本発明は、効率よく自らの巻線コイルを冷却でき、高い耐熱性を持つ電動モータを提供する。また、本発明は電動モータの冷却方法を提供する。この方法により、効率よく自らの巻線コイルを冷却でき、電動モータが高い耐熱性を持つ。
【０００９】
上記の目的を達成するために、本発明の技術方法は以下のように実現させる。
【課題を解決するための手段】
【００１０】
本発明は、ケーシングと固定子組立体とを含み、前記ケーシングは、ケーシング本体（１）と、油導入孔（７）と、油通路（２）と、油導出孔（３）と、固定子固定台（８）と、ケーシングのエンドカバー（１０）とを含み、その内、前記油導入孔（７）がケーシング（１）に位置し、前記油導出孔（３）が固定子固定台（８）に位置し、前記油通路（２）がケーシング本体（１）の内部に位置するとともに、油導入孔（７）及び油導出孔（３）と連通するように設けられ、前記固定子組立体は、固定子コア（５）と、巻線コイル（６）と、絶縁槽（１２）とを含み、前記油導出孔（３）が巻線コイル（６）の上方に位置するように設けられる電動モータであって、また、該電動モータは、油導出孔（３）と巻線コイル（６）との間に位置する導引段差を含み、油導入孔（７）から入ってきた冷却油は、油通路（２）を流通し、油導出孔（３）から流出した後、導引段差に導引され、巻線コイル（６）にかける電動モータが開示されている。
【００１１】
前記導引段差が前記固定子固定台（８）に固定されるか、または、前記導引段差と前記固定子固定台（８）とが一体になるように鋳造される。
【００１２】
前記固定子固定台（８）が前記ケーシング本体（１）に固定されるか、または、前記固定子固定台（８）と前記ケーシング本体（１）とが一体になるように鋳造されるか、または、前記固定子固定台（８）がケーシング本体エンドカバー（１０）に固定されるか、または、前記固定子固定台（８）と前記ケーシング本体のエンドカバー（１０）とが一体になるように鋳造される。
【００１３】
前記導引段差の形状は、円筒形、またはV字形、または半円形、または半楕円形、または三面矩形である。
【００１４】
複数の油導出孔（３）は、固定子固定台（８）の円周壁に分布しており、固定子固定台（８）のトップから順次に下に向き、それぞれの油導出孔（３）の孔径が順次に増大する。
【００１５】
さらに、本発明は、ケーシングと、固定子組立体とを含み、前記ケーシングは、ケーシング本体（１）と、油導入孔（７）と、油通路（２）と、油導出孔（３）と、固定子固定台（８）と、ケーシングのエンドカバー（１０）とを含み、その内、前記油導入孔（７）がケーシング（１）に位置し、前記油導出孔（３）が固定子固定台（８）に位置し、前記油通路（２）がケーシング本体（１）の内部に位置するとともに、油導入孔（７）及び油導出孔（３）と連通するように設けられ、前記固定子組立体は、固定子コア（５）と、巻線コイル（６）と、絶縁槽（１２）と、を含み、前記油導出孔（３）が巻線コイル（６）の上方に位置する電動モータに適用する電動モータの油冷却方法であって、該方法において、前記油導出孔（３）と巻線コイル（６）との間に導引段差が設置され、冷却油が油導入孔（７）から入って、油通路（２）を流通して、油導出孔（３）から流出する際、油導出孔（３）から流出した冷却油が前記導引段差に導引され、巻線コイル（６）にかけることを特徴とする。
【００１６】
前記導引段差が前記固定子固定台（８）に固定されるか、または、前記導引段差と前記固定子固定台（８）とが一体になるように鋳造される。
【００１７】
前記固定子固定台（８）がケーシング本体（１）の上に固定されるか、または、前記固定子固定台（８）と前記ケーシング本体（１）とが一体になるように鋳造されるか、または、前記固定子固定台（８）がケーシング本体のエンドカバー（１０）に固定されるか、または、前記固定子固定台（８）と前記ケーシング本体のエンドカバー（１０）とが一体になるように鋳造される。
【００１８】
前記導引段差の形状は、円筒形、またはV字形、または半円形、または半楕円形、または三面矩形である。
【００１９】
複数の油導出孔（３）が固定子固定台（８）の円周壁に分布しており、固定子固定台（８）のトップから順次に下に向き、それぞれの油導出孔（３）の孔径が順次に増大する。
【発明の効果】
【００２０】
上記の技術方法から分かるように、本発明のように、電動モータの油導出孔と巻線コイルとの間に導引段差が設置され、冷却油が油導入孔から入り、油通路を流通して、油導出孔から流出する際、油導出孔から流出した冷却油が前記導引段差に導引され、巻線コイルにかけるという方法によれば、冷却油が油導出孔から流出した後、表面張力でケーシングの円周壁及びケーシング本体のエンドカバーに流失することを避けて、冷却油を直接に巻線コイルにかけることにより、巻線コイルを均一的に冷却することができる。このことは電動モータの巻線コイルの冷却効率を大きく高め、ひいては電動モータの耐熱性を向上させる。
【図面の簡単な説明】
【００２１】
【図１】従来の技術における電動モータのケーシング及び固定子組立体を示す説明図である。
【図２】図１に示す線ＡＡ’に沿った断面図である。
【図３】図２の線ＢＢ’に沿った断面図である。
【図４】本発明における電動モータの第１実施形態の模式図である。
【図５】図４の線ＣＣ’に沿った断面図である。
【図６】本発明における電動モータの第２実施形態の模式図である。
【図７】図６に示す実施形態におけるV字形の導引段差の構成模式図である。
【図８】図６の線ＤＤ’に沿った断面図である。
【発明を実施するための形態】
【００２２】
本発明の核心的主旨とは、電動モータにおいて、冷却油を導引して巻線コイルへ流すための導引段差を増設することで、導引段差の作用によって、冷却油がケーシングの円周壁及びケーシングのエンドカバーに流失することなく、直接、巻線コイルにかけることができることである。 
【００２３】
本発明の目的、技術方法及びメリットをさらに明瞭にするために、以下、図面及び具体的実施形態に合わせて本発明を詳しく説明する。
【００２４】
図４は、本発明における電動モータの第１実施形態を示す説明図である。図４は断面図であり、図１に示す線ＡＡ’に沿った断面図である。図４を参照するように、電動モータは、ケーシング及び固定子組立体を含む。ケーシングは、ケーシング本体１と、油導入孔７と、油通路２と、油導出孔３と、固定子固定台８及びケーシングのエンドカバー１０とを含む。その内、前記油導入孔７がケーシング１に位置し、前記油導出孔３が固定子固定台８に位置し、前記油通路２がケーシング本体１の内部に位置するとともに、前記油導入孔７及び導前記油導出孔３と連通する。前記固定子組立体は、固定子コア５と、巻線コイル６と、絶縁槽１２とを含む。ここで、図４に示す断面図においては絶縁槽１２が見られないが、後の図５には絶縁槽１２の位置を示す。前記油導出孔３が巻線コイル６の上方に位置する。上記の構成は従来の技術と同じである。
【００２５】
本発明の実施形態において、図４に示す電動モータは、さらに、油導出孔３と巻線コイル６との間に位置する導引段差４を含む。図４に示す実施形態において、該導引段差は円筒状である。このように、油導入孔７から入ってきた冷却油は 、油通路２を流通して、油導出孔３から流出した後、円筒形の導引段差４に導引され、導引段差４の内側に沿って流出して、ケーシングの円周壁に流失することなく、直接、巻線コイル６にかかる。
【００２６】
図４に示す実施形態において、円筒形の導引段差４は、前記固定子固定台８に固定されてもよい。または、前記円筒形の導引段差４と前記固定子固定台８とが一体になるように鋳造されてもよい。ここで、前記固定子固定台８がケーシング本体１の上に固定されてもよい。または、前記固定子固定台８と前記ケーシング本体１とが一体になるように鋳造されてもよい。なお、前記固定子固定台８がケーシング本体のエンドカバー１０に固定されてもよい、または、前記固定子固定台８と前記ケーシング本体のエンドカバー１０とを一体になるように鋳造されてもよい。
【００２７】
図４に示す実施形態において、前記油通路２は、ケーシング本体１の内部に溝切り、ボーリングまたは鋳造によって形成される。
【００２８】
図５は、図４に示す線ＣＣ’に沿った断面図である。図５において、図４に示していない絶縁槽１２が示されており、且つ矢印で冷却油が油導入孔７から油通路２を流通して油導出孔３に到達し、及び油導出孔３から円筒形の導引段差４を流通して巻線コイル６に到達する経路が示されている。
【００２９】
図５を参照すると、複数の油導出孔３は固定子固定台８の円周壁に分布しているが、油導入孔７は１つしかないとともに、ケーシング本体１の上端に位置する。従来の技術において、各油導出孔３の寸法が一致しているので、固定子固定台８の最上端に位置する油導出孔３からの油導出量は最大となるが、固定子固定台８のトップ端から順次に下方に向かって、各油導出孔３の油導出量は徐々に減少するので、各巻線コイル６の冷却にばらつきが生じてしまう。そのため、本発明の実施形態において、固定子固定台８の上端から順次に下方に向かって、各油導出孔３の孔径を順次に増大させる。したがって、どの油導出孔３でも油導出量がほぼ一致することが保証でき、大部分の油が１つの油導出孔３から１つのコイルに流れ、他の油導出孔３からの油導出量が減少してしまうことを避けることができる。
【００３０】
図６は、本発明における電動モータの第２実施形態を示す説明図である。図６は断面図であって、図１に示す線ＡＡ’に沿った断面図である。図６を参照するように、電動モータは、ケーシング及び固定子組立体を含む。ケーシングは、ケーシング本体１と、油導入孔７と、油通路２と、油導出孔３と、固定子固定台８と、ケーシングのエンドカバー１０とを含む。その内、前記油導入孔７がケーシング１に位置し、前記油導出孔３が固定子固定台８に位置し、前記油通路２がケーシング本体１の内部に位置するとともに、前記油導入孔７及び導前記出孔３と連通する。前記固定子組立体は、固定子コア５と、巻線コイル６と、絶縁槽１２とを含む。ここで、図６に示す断面図においては絶縁槽１２が見られないが、後の図８には絶縁槽１２の位置を示す。前記油導出孔３が巻線コイル６の上方に位置する。上記の構成は従来の技術と同じである。
【００３１】
本発明の実施形態において、図６に示す電動モータは、さらに、油導出孔３と巻線コイル６との間に位置しているV字形の導引段差９を含む。このように、油導入孔７から入ってきた冷却油が 、油通路２を流通して、油導出孔３から流出した後、V字形の導引段差９に導引され、ケーシングの円周壁に流失することなく、直接、巻線コイル６にかかる。図７は、図６に示す実施形態におけるV字形の導引段差の構成を示す模式図である。図７においては、矢印で油導出孔３から流出した冷却油がV字形の導引段差９を介して流通する経路が示されている。
【００３２】
図６に示す実施形態において、V字形の導引段差９は、前記固定子固定台８に固定されてもよい、または、前記V字形の導引段差９と前記固定子固定台８とが一体になるように鋳造されてもよい。ここで、前記固定子固定台８がケーシング本体１の上に固定されてもよい、または、前記固定子固定台８と前記ケーシング本体１とが一体になるように鋳造されてもよい。なお、前記固定子固定台８が前記ケーシング本体のエンドカバー１０に固定されてもよい、または、前記固定子固定台８と前記ケーシング本体のエンドカバー１０とを一体になるように鋳造されてもよい。
【００３３】
図６に示す実施形態において、前記油通路２は、ケーシング本体１の内部に溝切り、ボーリングまたは鋳造によって形成される。
【００３４】
図８は、図６に示す線ＤＤ’に沿った断面図である。図８において、図６に示されていない絶縁槽１２が示されており、且つ矢印で冷却油が油導入孔７から油通路２を流通して油導出孔３に到達し、及び油導出孔３からV字形の導引段差９を流通して巻線コイル６に到達する経路が示されている。
【００３５】
上記の２つの実施形態において、円筒形の導引段差４とV字形の導引段差９が提供されたが、本発明の他の実施形態においては、導引段差が半円形、半楕円形又は三面矩形にしてもよいので、ここで一々取り上げない。
【００３６】
以上まとめると、従来の電動モータに対する冷却方法で、ケーシング本体に１つの油導出孔又は円周壁に沿って複数の油導出孔をボーリングすることのみであり、導引段差を実装することがない。従って、これらの油導出孔から流出した後、油の表面張力及び低圧の原因により、大部分の油はケーシング本体の円周壁の壁面又はエンドカバーに流失してしまい、巻線コイルを直接冷却していない。これに対して、本発明において、電動モータの油導出孔と巻線コイルとの間に導引段差を設置して、冷却油が油導入孔から入り、油通路を流通して、油導出孔から流出する際、前記導引段差が油導出孔から流出した冷却油を導引して、巻線コイルにかける技術方法では、冷却油が油導出孔から流出した後、表面張力でケーシングの円周壁及びケーシング本体のエンドカバーに流失することを回避して、冷却油を巻線コイルに直接かけることにより、巻線コイルを均一に冷却することができる。これにより、電動モータの巻線コイルの冷却効率を大きく高め、ひいては電動モータの耐熱性を向上させる。
【００３７】
上記は本発明の好ましい実施形態であるが、本発明を限定するものではない。本発明の主旨及び原則を逸脱しない限り、本発明に対する如何なる補正、同等な入れ替え、改良など、いずれも本発明の保護範囲内に属するべきである。
【図１】
2013513354.tif 000003
【図２】
2013513354.tif 000004
【図３】
2013513354.tif 000005
【図４】
2013513354.tif 000006
【図５】
2013513354.tif 000007
【図６】
2013513354.tif 000008
【図７】
2013513354.tif 000009
【図８】
2013513354.tif 000010
【国際調査報告】
2013513354.tif 000011
2013513354.tif 000012
2013513354.tif 000013
2013513354.tif 000014
2013513354.tif 000015
2013513354.tif 000016